(57)【特許請求の範囲】
【請求項１】
セルの間の通信を行うセル間接続サービス網と、
前記各セル内の通信を行うセル内サービス網と、
を含むメッシュ網ネットワークサービスシステムにおいて、
前記セル間接続サービス網は、
複数の基地局と、
前記複数の基地局間を結ぶセル間通信網と、
を含み、
前記セル内サービス網は、
いずれかの前記基地局と接続するサービスゲートウェイと、
前記セル内において所定のサービスを加入者端末に対して提供するセル内サービスサーバであって、前記サービスゲートウェイと接続しているセル内サービスサーバと、
前記加入者端末との通信を行う加入者局であって、前記セル内サービスサーバに接続している加入者局と、
を含み、
前記基地局は、接続するセル内サービスサーバを介して、また、前記セル間通信網を用いて、セル間の通信サービスを提供することを特徴とするメッシュ網ネットワークサービスシステムであって、
前記サービスゲートウェイは、
前記加入者端末に提供する各サービス毎に設けられたヴァーチャルプライベートネットワークに関する情報を記録する記録手段であって、前記ヴァーチャルプライベートネットワークに登録している加入者端末のデータを記録する記録手段と、
前記加入者端末から、前記プライベートネットワークへの登録要求を受信した場合に、前記記録手段へ、前記加入者端末の情報を登録する登録手段と、
を含み、前記記録手段は、前記加入者端末のデータを複数のヴァーチャルプライベートネットワークに登録可能であることを特徴とするメッシュ網ネットワークサービスシステム。
【請求項２】
請求項１記載のメッシュ網ネットワークサービスシステムにおいて、
いずれかの前記基地局に接続するメッシュ網サービス管理サーバであって、本メッシュ網ネットワークサービスシステムのいずれかのセル内に位置する加入者端末に所定のサービスを提供するメッシュ網サービス管理サーバ、
を含むことを特徴とするメッシュ網ネットワークサービスサービスシステム。
【請求項３】
請求項１記載のメッシュ網ネットワークサービスシステムにおいて、
いずれかの前記基地局に接続するネットワーク管理／運用サーバであって、前記セル間接続サービス網の管理を行うネットワーク管理／運用サーバ、
を含むことを特徴とするメッシュ網ネットワークサービスサービスシステム。
【請求項４】
請求項１記載のメッシュ網ネットワークサービスシステムにおいて、
外部システムと接続し、前記外部システムが提供する外部サービスを、前記加入者端末に対して提供する既存サービスサーバであって、前記基地局のいずれかと接続している既存サービスサーバ、
を含むことを特徴とするメッシュ網ネットワークサービスサービスシステム。
【請求項５】
前記請求項１記載のメッシュ網ネットワークサービスシステムにおいて用いられる前記サービスゲートウェイにおいて、
前記加入者端末に提供する各サービス毎に設けられたヴァーチャルプライベートネットワークに関する情報を記録する記録手段であって、前記ヴァーチャルプライベートネットワークに登録している加入者端末のデータを記録する記録手段と、
前記加入者端末から、前記プライベートネットワークへの登録要求を受信した場合に、前記記録手段へ、前記加入者端末の情報を登録する登録手段と、
を含み、前記記録手段は、前記加入者端末のデータを複数のヴァーチャルプライベートネットワークに登録可能であることを特徴とするサービスゲートウェイ。
【請求項６】
前記請求項１記載のメッシュ網ネットワークサービスサービスシステムに用いられる前記サービスゲートウェイにおいて、
前記加入者端末に提供する各サービス毎に設けられたヴァーチャルプライベートネットワークに関する情報を記録する記録手段であって、前記ヴァーチャルプライベートネットワークに登録しているサービス提供者装置のデータを記録する記録手段と、
前記サービス提供者装置から、前記ヴァーチャルプライベートネットワークへの登録要求を受信した場合に、前記記録手段へ、前記サービス提供者装置の情報を登録する登録手段と、
を含み、前記記録手段は、前記加入者端末のデータを複数のヴァーチャルプライベートネットワークに登録可能であることを特徴とするサービスゲートウェイ。
【請求項７】
前記請求項６記載のサービスゲートウェイ装置において、
前記記録手段内の前記サービス提供者装置のデータを、配信する配信手段、
を含むことを特徴とするサービスゲートウェイ。
【請求項８】
請求項２記載のメッシュ網ネットワークサービスシステムにおいて用いられる前記メッシュ網サービス管理サーバにおいて、
前記加入者端末に提供する各サービス毎に設けられたヴァーチャルプライベートネットワークに関する情報を記録する記録手段であって、前記ヴァーチャルプライベートネットワークに登録している前記サービスゲートウェイのデータを記録する記録手段と、
前記サービスゲートウェイから、前記ヴァーチャルプライベートネットワークへの参加要求を受信した場合に、前記記録手段へ、前記サービスゲートウェイの情報を登録する登録手段と、
を含み、前記記録手段は、前記加入者端末のデータを複数のヴァーチャルプライベートネットワークに登録可能であることを特徴とするメッシュ網サービス管理サーバ。
【請求項９】
請求項２記載のメッシュ網ネットワークサービスシステムにおいて用いられる前記メッシュ網サービス管理サーバにおいて、
前記加入者端末に提供する各サービス毎に設けられたヴァーチャルプライベートネットワークに関する情報を記録する記録手段であって、前記ヴァーチャルプライベートネットワークに登録しているサービス提供者装置のデータを記録する記録手段と、
前記サービス提供者装置から、前記ヴァーチャルプライベートネットワークへの登録要求を受信した場合に、前記記録手段へ、前記サービス提供者装置の情報を登録する登録手段と、
を含み、前記記録手段は、前記加入者端末のデータを複数のヴァーチャルプライベートネットワークに登録可能であることを特徴とするメッシュ網サービス管理サーバ。
【請求項１０】
前記請求項９記載のメッシュ網サービス管理サーバにおいて、
前記記録手段内の前記サービス提供者装置のデータを、配信する配信手段、
を含むことを特徴とするメッシュ網サービス管理サーバ。
【請求項１１】
コンピュータを、前記請求項５記載のサービスゲートウェイとして動作させるプログラムにおいて、前記コンピュータに、
前記加入者端末から、前記ヴァーチャルプライベートネットワークへの登録要求を受信した場合に、記録手段へ、前記加入者端末の情報を登録する登録手順、
を実行させ、前記記録手段は、前記加入者端末に提供する各サービス毎に設けられたヴァーチャルプライベートネットワークに関する情報を記録する記録手段であって、前記ヴァーチャルプライベートネットワークに登録している加入者端末のデータを記録する記録手段であることを特徴とするプログラム。
【請求項１２】
コンピュータを、前記請求項６記載のサービスゲートウェイとして動作させるプログラムにおいて、前記コンピュータに、
前記サービス提供者装置から、前記ヴァーチャルプライベートネットワークへの登録要求を受信した場合に、記録手段へ、前記サービス提供者装置の情報を登録する登録手順、
を実行させ、前記記録手段は、前記加入者端末に提供する各サービス毎に設けられたヴァーチャルプライベートネットワークに関する情報を記録する記録手段であって、前記ヴァーチャルプライベートネットワークに登録しているサービス提供者装置のデータを記録する記録手段であることを特徴とするプログラム。
【請求項１３】
前記請求項１２記載のプログラムにおいて、さらに、前記コンピュータに、
前記記録手段内の前記サービス提供者装置のデータを外部に配信する配信手順、
を実行させることを特徴とするプログラム。
【請求項１４】
コンピュータを、前記請求項８記載のメッシュ網サービス管理サーバとして動作させるプログラムにおいて、前記コンピュータに、
前記サービスゲートウェイから、前記ヴァーチャルプライベートネットワークへの参加要求を受信した場合に、記録手段へ、前記サービスゲートウェイの情報を登録する登録手順、
を実行させ、前記記録手段は、前記加入者端末に提供する各サービス毎に設けられたヴァーチャルプライベートネットワークに関する情報を記録する記録手段であって、前記ヴァーチャルプライベートネットワークに登録している前記サービスゲートウェイのデータを記録する記録手段であることを特徴とするプログラム。
【請求項１５】
コンピュータを、前記請求項９記載のメッシュ網サービス管理サーバとして動作させるプログラムにおいて、前記コンピュータに、
サービス提供者装置から、前記ヴァーチャルプライベートネットワークへの登録要求を受信した場合に、記録手段へ、前記サービス提供者装置の情報を登録する登録手順、
を実行させ、前記記録手段は、前記加入者端末に提供する各サービス毎に設けられたヴァーチャルプライベートネットワークに関する情報を記録する記録手段であって、前記ヴァーチャルプライベートネットワークに登録しているサービス提供者装置のデータを記録する記録手段であることを特徴とするプログラム。
【請求項１６】
前記請求項１５記載のプログラムにおいて、さらに、前記コンピュータに、
前記記録手段内の前記サービス提供者装置のデータを外部に配信する配信手順、
を実行させることを特徴とするプログラム。
【請求項１７】
前記請求項２記載のメッシュ網ネットワークサービスシステムにおいて用いられる前記メッシュ網サービス管理サーバにおいて、
前記加入者端末に提供する各サービス毎に設けられたグローバルヴァーチャルプライベートネットワークに関する情報を記録する記録手段であって、前記グローバルヴァーチャルプライベートネットワークに登録する前記サービスゲートウェイのデータを記録する記録手段と、
前記グローバルヴァーチャルプライベートネットワークを介して提供されるグローバルサービスを受けようとするサービスゲートウェイから、前記グローバルヴァーチャルプライベートネットワークへの参加要求を受信した場合に、前記記録手段へ、前記サービスゲートウェイの情報を登録する登録手段と、
を含み、前記グローバルヴァーチャルプライベートネットワークは、セル間にまたがるヴァーチャルプライベートネットワークであり、
前記記録手段は、前記加入者端末のデータを複数のヴァーチャルプライベートネットワークに登録可能であることを特徴とするメッシュ網サービス管理サーバ。
【請求項１８】
前記請求項２記載のメッシュ網ネットワークサービスシステムにおいて用いられる前記メッシュ網サービス管理サーバにおいて、
前記加入者端末に提供する各サービス毎に設けられたグローバルヴァーチャルプライベートネットワークに関する情報を記録する記録手段であって、前記グローバルヴァーチャルプライベートネットワークに登録する前記サービスゲートウェイのデータを記録する記録手段と、
前記ローカルサービスを、グローバルサービスとして提供しようとするサービスゲートウェイから、前記グローバルヴァーチャルプライベートネットワークへの登録要求を受信した場合に、前記記録手段へ、前記サービス提供者装置の情報を登録する登録手段と、
を含み、前記グローバルヴァーチャルプライベートネットワークは、前記グローバルサービスを提供するためのプライベートネットワークであって、セル間にまたがるプライベートネットワークであり、
前記記録手段は、前記加入者端末のデータを複数のヴァーチャルプライベートネットワークに登録可能であることを特徴とするメッシュ網サービス管理サーバ。
【請求項１９】
前記請求項１８記載のメッシュ網サービス管理サーバにおいて、
前記記録手段内の前記ローカルサービスをグローバルサービスとして提供しようとするサービスゲートウェイのデータを、広帯域無線アクセス網を介して配信する配信手段、
を含むことを特徴とするメッシュ網サービス管理サーバ。
【請求項２０】
コンピュータを、前記請求項１７のメッシュ網サービス管理サーバとして動作させるプログラムにおいて、前記コンピュータに、
前記ヴァーチャルグローバルプライベートネットワークを介して提供されるグローバルサービスを受けようとするサービスゲートウェイから、前記ヴァーチャルグローバルプライベートネットワークへの参加要求を受信した場合に、記録手段へ、前記サービスゲートウェイの情報を登録する登録手順、
を実行させ、前記記録手段は、前記加入者端末に提供する各サービス毎に設けられたヴァーチャルグローバルプライベートネットワークに関する情報を記録する記録手段であって、前記ヴァーチャルグローバルプライベートネットワークに登録する前記サービスゲートウェイのデータを記録する記録手段であることを特徴とするプログラム。
【請求項２１】
コンピュータを、前記請求項１８のメッシュ網サービス管理サーバとして動作させるプログラムにおいて、前記コンピュータに、
ローカルサービスを、グローバルサービスとして提供しようとするサービスゲートウェイから、前記ヴァーチャルグローバルプライベートネットワークへの登録要求を受信した場合に、前記記録手段へ、前記サービス提供者装置の情報を登録する登録手順、
を実行させ、前記記録手段は、前記加入者端末に提供する各サービス毎に設けられたヴァーチャルグローバルプライベートネットワークに関する情報を記録する記録手段であって、前記ヴァーチャルグローバルプライベートネットワークに登録する前記サービスゲートウェイのデータを記録する記録手段であることを特徴とするプログラム。
【請求項２２】
コンピュータを、前記請求項１９のメッシュ網サービス管理サーバとして動作させるプログラムにおいて、前記コンピュータに、
前記記録手段内の前記ローカルサービスをグローバルサービスとして提供しようとするサービスゲートウェイのデータを、広帯域無線アクセス網を介して配信させることを特徴とするプログラム。
【発明の詳細な説明】
【技術分野】
【０００１】
本発明は、ネットワーク通信システムに関し、また、その通信システムに利用される通信装置に関する。さらに、その通信装置を実現するプログラムに関する。
【背景技術】
【０００２】
近年、メッシュ網ネットワークサービスシステムの利用が広く検討されている。このメッシュ網ネットワークサービスシステムを利用した、観光地のサービスシステムや地方公共団体のネットワークが種々検討されている。
【０００３】
本特許では、メッシュ網ネットワークサービスシステムと呼んでいるが、単にメッシュ網（ネット）と呼ぶことや、単にメッシュネットワークと呼ばれることもある。また、メッシュ網ネットワークサービスシステムは、メッシュ型ネットワーク網と呼ぶこともある。
【０００４】
ネットワークの通信に関する発明の例
なお、下記特許文献１には、マルチホップメッシュネットワークを利用した広帯域通信の技術が開示されている。また、下記特許文献２には、非階層的な網を利用した装置群が互いに監視し合う構成が開示されている。さらに、下記特許文献３には、モバイル無線通信ネットワークにおいて、無線通信回線トラフィックの割り当てに関する技術が開示されている。特に、下記特許文献３には、割り当てを表すマップを作成する技術が記されている。
【０００５】
【特許文献１】特表２００２−５１６０５０号公報
【特許文献２】特表２００２−５１７９２１号公報
【特許文献３】特開２００４−２１５２６５号公報
【発明の開示】
【発明が解決しようとする課題】
【０００６】
さて、メッシュ網ネットワークサービスシステムは、一般に複数のセルから構成される場合が多い。ここで、セルとは地理的な一定の範囲、又は、通信の行える一定の範囲、等の意味で用いている。そのため、一定の地域限定のサービスを提供しようとする場合、このセル単位でサービスの提供を行えることが望ましい。その一方、複数のセルにまたがったサービスを提供したい場合もある。
【０００７】
しかしながら、従来のメッシュ網ネットサービスシステムにおいては、全体的なサービスのみが提供される場合が多く、セル単位でサービスを提供でき、且つ、複数のセルにまたがるサービスと個々のセル毎のサービスとを１個のシステムで実現しうるものは知られていない。
【０００８】
本発明は、このような事情に鑑みなされたものであり、その目的は、メッシュ網ネットワークサービスシステムにおいて、システムを構成するセル毎のサービスと、複数のセルにまたがるサービスとを共に提供しうる仕組みを実現することである。
【課題を解決するための手段】
【０００９】
本発明は、上記課題を解決するために、以下の手段を採用する。
【００１０】
Ａ．メッシュ網ネットワークサービスシステム
（１）本発明は、上記課題を解決するために、セルの間の通信を行うセル間接続サービス網と、前記各セル内の通信を行うセル内サービス網と、を含むメッシュ網ネットワークサービスシステムにおいて、前記セル間接続サービス網は、複数の基地局と、前記複数の基地局間を結ぶセル間通信網と、を含み、前記セル内サービス網は、いずれかの前記基地局と接続するサービスゲートウェイと、前記セル内において所定のサービスを加入者端末に対して提供するセル内サービスサーバであって、前記サービスゲートウェイと接続しているセル内サービスサーバと、前記加入者端末との通信を行う加入者局であって、前記セル内サービスサーバに接続している加入者局と、を含み、前記基地局は、接続するセル内サービスサーバを介して、また、前記セル間通信網を用いて、セル間の通信サービスを提供することを特徴とするメッシュ網ネットワークサービスシステムである。
【００１１】
（２）また、本発明は、上記（１）記載のメッシュ網ネットワークサービスシステムにおいて、いずれかの前記基地局に接続するメッシュ網サービス管理サーバであって、本メッシュ網ネットワークサービスシステムのいずれかのセル内に位置する加入者端末に所定のサービスを提供するメッシュ網サービス管理サーバ、を含むことを特徴とするメッシュ網ネットワークサービスサービスシステムである。
【００１２】
（３）また、本発明は、上記（１）記載のメッシュ網ネットワークサービスシステムにおいて、いずれかの前記基地局に接続するネットワーク管理／運用サーバであって、前記セル間接続サービス網の管理を行うネットワーク管理／運用サーバ、を含むことを特徴とするメッシュ網ネットワークサービスサービスシステムである。
【００１３】
（４）また、本発明は、上記（１）記載のメッシュ網ネットワークサービスシステムにおいて、外部システムと接続し、前記外部システムが提供する外部サービスを、前記加入者端末に対して提供する既存サービスサーバであって、前記基地局のいずれかと接続している既存サービスサーバ、を含むことを特徴とするメッシュ網ネットワークサービスサービスシステムである。
【００１４】
Ｂ．サービスゲートウェイ
（５）本発明は、上記課題を解決するために、上記（１）記載のメッシュ網ネットワークサービスサービスシステムに用いられるサービスゲートウェイにおいて、前記加入者端末に提供する各サービス毎に設けられたプライベートネットワークに関する情報を記録する記録手段であって、前記プライベートネットワークに登録している加入者端末のデータを記録する記録手段と、前記加入者端末から、前記プライベートネットワークへの登録要求を受信した場合に、前記記録手段へ、前記加入者端末の情報を登録する登録手段と、を含むことを特徴とするサービスゲートウェイである。
【００１５】
（６）また、本発明は、上記（１）記載のメッシュ網ネットワークサービスサービスシステムに用いられるサービスゲートウェイにおいて、前記加入者端末に提供する各サービス毎に設けられたプライベートネットワークに関する情報を記録する記録手段であって、前記プライベートネットワークに登録しているサービス提供者装置のデータを記録する記録手段と、前記サービス提供者装置から、前記プライベートネットワークへの登録要求を受信した場合に、前記記録手段へ、前記サービス提供者装置の情報を登録する登録手段と、を含むことを特徴とするサービスゲートウェイである。
【００１６】
（７）また、本発明は、上記（６）記載のサービスゲートウェイ装置において、前記記録手段内の前記サービス提供者装置のデータを、配信する配信手段、を含むことを特徴とするサービスゲートウェイである。
【００１７】
Ｃ．メッシュ網サービス管理サーバ
（８）本発明は、上記課題を解決するために、上記（２）記載のメッシュ網ネットワークサービスサービスシステムに用いられるメッシュ網サービス管理サーバにおいて、前記加入者端末に提供する各サービス毎に設けられたプライベートネットワークに関する情報を記録する記録手段であって、前記プライベートネットワークに登録している前記サービスゲートウェイのデータを記録する記録手段と、前記サービスゲートウェイから、前記プライベートネットワークへの参加要求を受信した場合に、前記記録手段へ、前記サービスゲートウェイの情報を登録する登録手段と、を含むことを特徴とするメッシュ網サービス管理サーバである。
【００１８】
（９）また、本発明は、上記（２）記載のメッシュ網ネットワークサービスサービスシステムに用いられるメッシュ網サービス管理サーバにおいて、前記加入者端末に提供する各サービス毎に設けられたプライベートネットワークに関する情報を記録する記録手段であって、前記プライベートネットワークに登録しているサービス提供者装置のデータを記録する記録手段と、前記サービス提供者装置から、前記プライベートネットワークへの登録要求を受信した場合に、前記記録手段へ、前記サービス提供者装置の情報を登録する登録手段と、を含むことを特徴とするメッシュ網サービス管理サーバである。
【００１９】
（１０）また、本発明は、上記（９）記載のメッシュ網サービス管理サーバにおいて、前記記録手段内の前記サービス提供者装置のデータを、配信する配信手段、を含むことを特徴とするメッシュ網サービス管理サーバである。
【００２０】
Ｄ．プログラム
（１１）また、本発明は、上記課題を解決するために、コンピュータを、前記請求項５記載のサービスゲートウェイとして動作させるプログラムにおいて、前記コンピュータに、前記加入者端末から、前記プライベートネットワークへの登録要求を受信した場合に、記録手段へ、前記加入者端末の情報を登録する登録手順、を実行させ、前記記録手段は、前記加入者端末に提供する各サービス毎に設けられたプライベートネットワークに関する情報を記録する記録手段であって、前記プライベートネットワークに登録している加入者端末のデータを記録する記録手段であることを特徴とするプログラムである。
【００２１】
（１２）また、本発明は、コンピュータを、上記（６）記載のサービスゲートウェイとして動作させるプログラムにおいて、前記コンピュータに、前記サービス提供者装置から、前記プライベートネットワークへの登録要求を受信した場合に、記録手段へ、前記サービス提供者装置の情報を登録する登録手順、を実行させ、前記記録手段は、前記加入者端末に提供する各サービス毎に設けられたプライベートネットワークに関する情報を記録する記録手段であって、前記プライベートネットワークに登録しているサービス提供者装置のデータを記録する記録手段であることを特徴とするプログラムである。
【００２２】
（１３）また、本発明は、上記（１２）記載のプログラムにおいて、さらに、前記コンピュータに、前記記録手段内の前記サービス提供者装置のデータを外部に配信する配信手順、を実行させることを特徴とするプログラムである。
【００２３】
（１４）また、本発明は、コンピュータを、上記（８）記載のメッシュ網サービス管理サーバとして動作させるプログラムにおいて、前記コンピュータに、前記サービスゲートウェイから、前記プライベートネットワークへの参加要求を受信した場合に、記録手段へ、前記サービスゲートウェイの情報を登録する登録手順、を実行させ、前記記録手段は、前記加入者端末に提供する各サービス毎に設けられたプライベートネットワークに関する情報を記録する記録手段であって、前記プライベートネットワークに登録している前記サービスゲートウェイのデータを記録する記録手段であることを特徴とするプログラムである。
【００２４】
（１５）また、本発明は、コンピュータを、上記（９）記載のメッシュ網サービス管理サーバとして動作させるプログラムにおいて、前記コンピュータに、サービス提供者装置から、前記プライベートネットワークへの登録要求を受信した場合に、記録手段へ、前記サービス提供者装置の情報を登録する登録手順、を実行させ、前記記録手段は、前記加入者端末に提供する各サービス毎に設けられたプライベートネットワークに関する情報を記録する記録手段であって、前記プライベートネットワークに登録しているサービス提供者装置のデータを記録する記録手段であることを特徴とするプログラムである。
【００２５】
（１６）また、本発明は、上記（１５）記載のプログラムにおいて、さらに、前記コンピュータに、前記記録手段内の前記サービス提供者装置のデータを外部に配信する配信手順、を実行させることを特徴とするプログラムである。
【００２６】
（１７）本発明は、上記（２）記載のメッシュ網ネットワークサービスサービスシステムに用いられるメッシュ網サービス管理サーバにおいて、前記加入者端末に提供する各サービス毎に設けられたグローバルプライベートネットワークに関する情報を記録する記録手段であって、前記グローバルプライベートネットワークに登録する前記サービスゲートウェイのデータを記録する記録手段と、前記グローバルプライベートネットワークを介して提供されるグローバルサービスを受けようとするサービスゲートウェイから、前記グローバルプライベートネットワークへの参加要求を受信した場合に、前記記録手段へ、前記サービスゲートウェイの情報を登録する登録手段と、を含み、前記グローバルプライベートネットワークは、セル間にまたがるプライベートネットワークであることを特徴とするメッシュ網サービス管理サーバである。
【００２７】
（１８）また、本発明は、上記（２）記載のメッシュ網ネットワークサービスサービスシステムに用いられるメッシュ網サービス管理サーバにおいて、前記加入者端末に提供する各サービス毎に設けられたグローバルプライベートネットワークに関する情報を記録する記録手段であって、前記グローバルプライベートネットワークに登録する前記サービスゲートウェイのデータを記録する記録手段と、前記ローカルサービスを、グローバルサービスとして提供しようとするサービスゲートウェイから、前記グローバルプライベートネットワークへの登録要求を受信した場合に、前記記録手段へ、前記サービス提供者装置の情報を登録する登録手段と、を含み、前記グローバルプライベートネットワークは、前記グローバルサービスを提供するためのプライベートネットワークであって、セル間にまたがるプライベートネットワークであることを特徴とするメッシュ網サービス管理サーバである。
【００２８】
（１９）また、本発明は、上記（１８）記載のメッシュ網サービス管理サーバにおいて、前記記録手段内の前記ローカルサービスをグローバルサービスとして提供しようとするサービスゲートウェイのデータを、広帯域無線アクセス網を介して配信する配信手段、を含むことを特徴とするメッシュ網サービス管理サーバである。
【００２９】
（２０）また、本発明は、コンピュータを、上記（１７）記載のメッシュ網サービス管理サーバとして動作させるプログラムにおいて、前記コンピュータに、前記グローバルプライベートネットワークを介して提供されるグローバルサービスを受けようとするサービスゲートウェイから、前記グローバルプライベートネットワークへの参加要求を受信した場合に、記録手段へ、前記サービスゲートウェイの情報を登録する登録手順、を実行させ、前記記録手段は、前記加入者端末に提供する各サービス毎に設けられたグローバルプライベートネットワークに関する情報を記録する記録手段であって、前記グローバルプライベートネットワークに登録する前記サービスゲートウェイのデータを記録する記録手段であることを特徴とするプログラムである。
【００３０】
（２１）また、本発明は、コンピュータを、上記（１８）記載のメッシュ網サービス管理サーバとして動作させるプログラムにおいて、前記コンピュータに、ローカルサービスを、グローバルサービスとして提供しようとするサービスゲートウェイから、前記グローバルプライベートネットワークへの登録要求を受信した場合に、前記記録手段へ、前記サービス提供者装置の情報を登録する登録手順、を実行させ、前記記録手段は、前記加入者端末に提供する各サービス毎に設けられたグローバルプライベートネットワークに関する情報を記録する記録手段であって、前記グローバルプライベートネットワークに登録する前記サービスゲートウェイのデータを記録する記録手段であることを特徴とするプログラムである。
【００３１】
（２２）また、本発明は、コンピュータを、上記（１９）記載のメッシュ網サービス管理サーバとして動作させるプログラムにおいて、前記コンピュータに、前記記録手段内の前記ローカルサービスをグローバルサービスとして提供しようとするサービスゲートウェイのデータを、広帯域無線アクセス網を介して配信させることを特徴とするプログラムである。
【発明の効果】
【００３２】
以上述べたように、本発明によれば、ネットワーク上における通信を円滑に行うことが可能である。
【発明を実施するための最良の形態】
【００３３】
以下、本発明の好適な実施の形態を図面に基づいて説明する。
【００３４】
第１章  メッシュ網ビジネスモデル
本実施の形態においては、図１に示すようなメッシュ網ネットワークサービスシステム１０を例にして、システムの構成、サービス提供の具体的な例を順に説明する。
【００３５】
１−１  全体構成
図１に示すように、このメッシュ網ネットワークサービスシステム１０は、セル間接続サービス網１２と、セル内サービス網１４ａ、１４ｂ、１４ｃと、メッシュ網サービス管理サーバ１６と、既存サービス接続部１８と、を備えている。
【００３６】
本実施の形態では、サービスの提供は、ＶＰＮ（Virtual Private Network）を介して行われる。所定のサービスの提供を受けたい場合には、そのサービスを提供するＶＰＮに登録し、参加する必要がある。また、サービスの提供をする場合にも、そのＶＰＮに登録し、参加する必要がある。
【００３７】
このＶＰＮは、請求の範囲のプライベートネットワークの好適な一例に相当する。
【００３８】
１−２  セル間接続サービス網
セル間接続サービス網１２は、複数の基地局２０ａ、２０ｂ、２０ｃと、これらの間を結ぶ通信網２２と、から構成されている。また、基地局２０ａにはメッシュ網ネットワーク管理／運用サーバ２４が接続されている。
【００３９】
１−３  セル内サービス網
セル内サービス網１４は、そのセル内の通信を管理するＶＰＮサービスゲートウェイ（以下、単にＶＳＧと呼ぶ）３０と、そのセル内に限定したサービスを提供するセル内サービスサーバ３２と、を備えている。また、ＶＳＧ３０には、複数の加入者局３４が接続されており、加入者端末３６は、いずれかの加入者局を介して、このメッシュ網ネットワークサービスシステム１０に接続する。なお、加入者局３４とＶＳＧ３０とは互いにＰＭＰ（Ｐｏｉｎｔ  ｔｏ  Ｍｕｌｔｉｐｌｅ  Ｐｏｉｎｔ）接続されている。なお、加入者局３４の他に、店舗３８も同様にＶＳＧ３０に接続する構成とすることも好ましい。ＰＭＰ接続については後に詳述する。
【００４０】
第２章  提供されるサービス
本実施の形態において、メッシュ網ネットワークサービスシステム１０は、メッシュ網サービスを提供する。メッシュ網サービスには、以下の４つのサービス構成要素が含まれる。これら４個のサービス構成要素は基本的には個々に独立して存在する。しかし、相互に結びついて運用される場合もある。
【００４１】
４個のサービス構成要素とは、以下、順次説明するように「セル内サービスビジネス」と、「セル間接続サービスビジネス（メッシュ網構築）」と、「メッシュ網サービス」と、「既存サービス（との接続サービス）」と、である。
【００４２】
本実施の形態においては、地域内に存在する加入者、情報提供者、企業、店舗、行政機関などを相互接続することで、ネットワーク上の新しいビジネスを提供することができる。
【００４３】
２．１  セル内サービスビジネス
セル内サービスとは、所定のセル内において提供されるサービスである。なお、セルとは、ある所定のＶＳＧ３０を介して通信が可能なエリアを言う。典型的には、ＶＳＧ３０と、加入者局３４がカバーする範囲（電波による通信が可能な範囲）となる。
【００４４】
まず、ＶＰＮサービスゲートウェイ３０（ＶＳＧ３０）と複数の加入者局３４の間は、ＰＭＰ（Ｐｏｉｎｔ  ｔｏ  Ｍｕｌｔｉｐｌｅ  Ｐｏｉｎｔ）で接続されている（一般的には無線接続が使用される）。これによって、セル内に存在する加入者端末３６には、いずれかの加入者局３４にアクセスすることで、ＰＭＰ接続を経由してネットワーク接続が提供される。この結果、加入者端末３６は、様々な情報、端末間通信、アプリケーションサービス等の提供を受け、これらサービスを利用することができる。
【００４５】
そして、セル内で独自のサービスを提供するために、ＶＳＧ３０にはそのセル用のサービスサーバ（セル内サービスサーバ）が接続される。ＶＳＧ３０は、そのパケットスイッチ機能（図２参照）によってアクセス制御を実行する。この結果、加入者端末３６はセル内サービスサーバ３２に対してアクセスすることができる。
【００４６】
ＶＳＧ３０は、セル内でサービス提供するために、以下のサービスレイヤを所有する。この様子が、図２（ＶＳＧの機能構成図）に示されている。
【００４７】
（１）複数のＶＰＮグループに対して、各ＶＰＮグループ毎に加入者端末３６のアドレス配布／管理を行うサービスレイヤ。このレイヤは、図２中、ＶＰＮアドレス配布サーバ４８で実現されている。
【００４８】
（２）セルサービスを提供しているＶＰＮグループリストを提供（異なるセルのサービス情報も掲載可能）するサービスレイヤ。このレイヤは、図２中、ＶＰＮリスト配布サーバ４６で実現されている。
【００４９】
（３）加入者端末３６の位置情報管理／認証を実行し、呼接続要求を受信した場合は、ＶＰＮグループ毎に、セル内に存在する端末の宛先（加入者局単位）解決を行うサービスレイヤ。このレイヤは、また、ＶＳＧ３０間及び加入者局３４への呼制御転送用Ｐｒｏｘｙサーバ機能を提供する。このレイヤは、図２中、位置情報管理／認証サーバ／制御転送用Ｐｒｏｘｙサーバ４４で実現されている。呼制御情報には、発信／受信端末のアドレス情報／トランスポート情報／アプリケーションの必要な帯域情報が含まれており、ＶＳＧ３０及び加入者局３４のＰｒｏｘｙ機能部は、その情報をデータフローＩＤとしてデータベース登録し、パケットレベルでスイッチ処理ができるようにハードウェアに設定する。したがって本システムは呼制御通信が正常応答しないとデータ通信ができないシステムであり、性能の向上したＦｉｒｅｗａｌｌを実現するものである。
【００５０】
この位置情報管理／認証サーバ／制御転送用Ｐｒｏｘｙサーバ４４は、認証等のために、加入者端末の情報をハードディスク等に保持している。さらに、サービス提供者装置の情報もこのハードディスク等に格納しておく。このようなハードディスク等は、請求の範囲の記録手段の好適な一例に相当する。
【００５１】
また、位置情報管理／認証サーバ／制御転送用Ｐｒｏｘｙサーバ４４は、請求の範囲の登録手段の好適な一例に相当する。
【００５２】
（４）ＶＰＮグループ毎に、現在使用されているＰＭＰ側アクセス帯域を管理し、加入者端末３６からの帯域予約制御を実行するサービスレイヤ。このレイヤは、図２中、ＶＰＮ帯域リソース管理サーバ４２で実現されている。
【００５３】
（５）加入者端末３６が所定のＶＰＮグループに参加した際に、そのＶＰＮグループ情報をその加入者端末３６に提供するサービスレイヤ。このレイヤは、図２中、ＶＰＮ−Ｗｅｂサーバ２４０で実現されている。利用者はこのＶＰＮ−Ｗｅｂサーバ４０にアクセスすることによって、ＶＰＮグループ情報が掲載されたＷｅｂページを閲覧することができる。
【００５４】
なお、このＶＰＮ−Ｗｅｂサーバ４０は、上記位置情報管理／認証サーバ／制御転送用Ｐｒｏｘｙサーバ４４がハードディスク等に格納したサービス提供者装置の情報を利用して、ＶＰＮグループの情報を提示する。特に、そのＶＰＮグループに属するサービス提供者装置の情報を提示するのである。例えば、監視カメラサービスのＶＰＮグループに関する情報の提示においては、そのＶＰＮグループに属するサービス提供者の監視カメラに関する情報が提示される。利用者は、この監視カメラのグループから、所望の監視カメラを選択してアクセスすることによって、監視カメラサービスの提供を受けることが可能である。
【００５５】
なお、上記「サービス提供者の監視カメラ」は、請求の範囲のサービス提供者装置の好適な一例に相当する。また、このように、ＶＰＮ−Ｗｅｂサーバ４０は、請求の範囲の配信手段の好適な一例に相当する。
【００５６】
以上のようなサービスレイヤによって、所定のセルの内部に対するサービスであるセル内サービスを加入者端末３６に対して提供することができる。
【００５７】
図２には、これらのサービスレイヤ以外のＶＳＧ３０の機能も示されている。図２に示すように、ＶＳＧ３０は、セル内の加入者端末３６に監視カメラ接続サービスを提供するためのＶＰＮ１や、店舗広告であるＶＰＮ２、コミュニケーショングループであるＶＰＮ３などが示されている。本実施の形態においては、所定のサービスを利用するためには、そのサービスを提供するためのＶＰＮグループに参加することによって利用を行う。例えば、監視カメラのサービスを利用したい場合は、加入者はＶＰＮ１に加入・登録する。そして、加入者端末３６がＶＰＮ１に実際に参加をすることによって、監視カメラの画像を加入者端末３６が受信することができるのである。これらのサービスは図２中ＶＰＮグループ用Ｗｅｂ表示で表されている。
【００５８】
また、図２に示すように、ＶＳＧ３０にはパケットスイッチ５０が設けられている。このパケットスイッチ５０は、通信パケットの交換動作を行う。その動作は従来からのパケット交換と同様である。
【００５９】
図３には、監視カメラＶＰＮサービスが提供される場合の動作を表すシーケンス図が示されている。
【００６０】
学校やビルなどに設置された監視カメラ端末は、ＶＳＧ３０に登録する際に、情報公開登録を行うことでＶＰＮ−Ｗｅｂ情報としてリアルタイムに表示することができる。監視カメラグループ（すなわち、本実施の形態ではＶＰＮ１）に参加したい利用者は、監視カメラのＶＰＮのグループに参加する際に認証される。加入者端末３６でＷｅｂを閲覧した後、目的の監視カメラに接続し、この監視カメラからの映像を加入者端末上で見ることができる。
【００６１】
このような動作を、図３のシーケンス図に基づき説明する。
【００６２】
（１）まず、ＶＳＧ３０は、ＶＰＮサービスグループリスト広報機能によって、ＶＰＮサービスグループリストを、加入者端末３６に送信する。この送信は、監視カメラサービスを提供する監視カメラ端末にも送られる。この動作は、ＶＰＮリスト配布サーバ４６が行う。
【００６３】
（２）次に、監視カメラ端末は、ＶＳＧ３０に対して、リモートカメラグループへ情報提供者の登録を行う。ＶＳＧ３０はこの登録の認証を行うと共に登録を行う。この登録は、ＶＰＮリスト配布サーバ４６が管理するリスト中に登録し、且つ、ＶＰＮ−Ｗｅｂサーバ４０が管理するリスト中に登録することによって実行される。
【００６４】
（３）次に、ＶＳＧ３０はこの登録された上記内容に基づき、リモートカメラグループ用のアドレスを監視カメラ端末に配布する。この配布は、ＶＰＮアドレス配布サーバ４８が実行する。
【００６５】
（４）次に、利用者は、加入者端末３６からリモートカメラグループにユーザー登録を実行する。監視カメラのサービスを利用するためである。このユーザー登録は、ＶＳＧ３０によって処理される。具体的には、端末位置情報管理／認証サーバ／制御転送用Ｐｒｏｘｙサーバ４４によって認証された後、そのサービスのＶＰＮ１に登録される。
【００６６】
（５）登録後、ＶＰＮサービスグループ用アドレスが、加入者端末３６に配布される。この配布は、ＶＰＮアドレス配布サーバ４８が実行する。
【００６７】
（６）その後、加入者端末３６は、Ｗｅｂ情報の閲覧をし、見たい監視カメラの選択を行う。
【００６８】
（７）選択は、Ｗｅｂ上から行う。例えば、見たいカメラのアイコンをクリックする等で選択が行われる。この選択によって、呼制御セッション（接続要求）が監視カメラ端末に送信される。
【００６９】
（８）この呼制御セッション（接続要求）を受信した監視カメラ端末は、呼制御セッション（接続応答）を、発信者である加入者端末３６に返信する。
【００７０】
（９）この返信を受けて、加入者端末３６は、監視カメラ視聴に必要なアプリケーションソフトウェアを起動し、このアプリケーションを利用して監視カメラの映像の視聴を行う。なお、監視カメラ側は監視カメラで撮影した映像データを加入者端末３６に送り始める。
【００７１】
以上のようにして、利用者は加入者端末３６を利用して監視カメラの映像配信サービスを利用することができる。
【００７２】
２．２  セル間接続サービスビジネス（メッシュ網構築）
セル間接続サービスとは、各セル間の通信を、基地局２０を介した通信路に収容することで、メッシュ型に相互接続させるサービスである。メッシュ網ネットワーク管理／運用サーバ２４は、基地局２０の間のネットワーク上の設定／保守／管理を実行する。この様子が図４に示されている。図４に示すように、複数の基地局２０は、通信網２２を介してメッシュ状に接続されている。そして、各基地局２０には、各セルのＶＳＧ３０が接続されている。
【００７３】
この基地局２０には、ネットワーク用伝送スイッチが備えられている。そして、この図４のように、ネットワーク用伝送スイッチを使用して、ＶＳＧ３０間がメッシュ接続されている。このネットワーク用伝送スイッチには、接続したリンクレベルを監視する管理機能が搭載されており、リンクレベル障害が発生した場合にはそのリンク障害情報を、他のすべての正常なポートに対して出力することで、メッシュ網に接続したメッシュ網サービス管理サーバ１６（これを、ＭＳＭ１６とも呼ぶ）が受信し、メッシュ網に設定したデータ経路ＩＤ情報を検索して、障害が発生したリンクを使用しているデータ経路を検知する。そして、ＭＳＭ１６は、そのデータ経路ＩＤ情報と、そのデータ経路を使用しているセッションＩＤ（複数）をパケットデータにして、メッシュ網内のすべてのＶＳＧ３０に対して通知する。
【００７４】
また、ＭＳＭ１６は、メッシュ網を通過するセッションと、そのセッションが使用しているデータ経路ＩＤを関連付けして管理しているため、特定データ経路の使用帯域の不足が発生した場合、上記と同様な方法でデータ経路上のトラフィック分散を行うことが可能である。
【００７５】
図５には、宛先ＶＳＧ接続及び参加要求が出された場合のＭＳＭ１６の動作及びそれに付随する動作についての説明図が示されている。この図に示されているように、セッションＩＤは発呼側のＶＳＧ３０ｍが宛先ＶＳＧ３０ｎへの参加要求あるいは接続要求をＭＳＭ１６に送信した場合に（図５中、丸１（円の図形中に数字の１を重ねた記号）を参照）、ＭＳＭ１６が割り付けるＩＤであり、そのＩＤはメッシュ網内でユニークである。ＭＳＭ１６はこのＩＤを発呼側のＶＳＧ３０ｍへ宛先ＶＳＧ３０ｎの情報とともに返信する（図５中丸２（円の図形中に数字の２を重ねた記号）参照）。その後、発呼側ＶＳＧ３０ｍが宛先ＶＳＧ３０ｎに対して接続要求転送情報と共にこのＩＤを送信する（図５中丸３（円の図形中に数字の３を重ねた記号）参照）。なお、この図５においてはこのＩＤはセッションＩＤと記されている。
【００７６】
また、セル間接続については、２点間のＶＳＧ３０に対して複数データ経路を指定可能であり、各データ経路に対してＩＤ（転送ラベル）を割り付けることが可能である。例えば、図４に示す例では、基地局２０ｅと、基地局２０ｉとの間に３個のデータ経路が存在し、それぞれ、ＩＤ＝１、ＩＤ＝２、ＩＤ＝３が割り当てられている。
【００７７】
２．３  メッシュ網サービス
メッシュ網サービスとは、セルサービスを相互連携してメッシュ網全体のサービス管理機能を提供するサービスである。このメッシュ網サービスを提供するためのメッシュ網サービス管理サーバ１６は、以下のサービスレイヤを所有する。この様子が図６に示されている。
【００７８】
（１）メッシュ網サービス用ＶＰＮグループ毎に各ＶＳＧに対してデータ経路用ＩＤの配布／管理を行うサービスレイヤ。
【００７９】
このサービスレイヤは、ＶＰＮアドレス配布サーバ６８が実行する。既に述べたように、本実施の形態では各種サービスは、そのサービスのためのＶＰＮに参加することによって提供される。
【００８０】
メッシュ網サービスも同様であり、そのためのＶＰＮに登録してからそのＶＰＮに参加する必要がある。
【００８１】
したがって、セルサービス事業者が、このメッシュ網サービスを利用する場合には、そのセルサービス事業者が属するセルのＶＳＧ３０がＭＳＭ１６で認証されなければならない。認証されることによって、メッシュ網サービスのためのＶＰＮに参加することができる。
【００８２】
（２）メッシュ網サービス用ＶＰＮグループリストをＶＳＧに提供するサービスレイヤ。
【００８３】
このサービスレイヤは、ＶＰＮリスト配布サーバ６６が実行する。
【００８４】
（３）セル（ＶＳＧ３０）単位で加入者端末３６の位置情報管理を実行し、呼接続要求を受信した場合は、メッシュ網サービス用ＶＰＮグループ毎に、セル内に存在する加入者端末３６の宛先（ＶＳＧ３０単位）解決を行うサービスレイヤである。このサービスレイヤは、また、メッシュ網サービス用ＶＰＮグループに参加のための端末認証も実行する。
【００８５】
このサービスレイヤは、端末位置情報管理／認証サーバ６４が提供する。
【００８６】
この端末位置情報管理／認証サーバ６４は、上記サービスレイヤを提供するために、ＶＳＧ３０のデータをハードディスク等に記録しておく。さらに、サービス提供者の装置（例えば監視カメラ端末等）に関する情報もこのハードディスク等に格納しておく。
【００８７】
このハードディスク等は、請求の範囲の記録手段の好適な一例に相当する。また、この端末位置情報管理／認証サーバ６４は、請求の範囲の登録手段の好適な一例に相当する。
【００８８】
（４）メッシュ網を構成している各パケットスイッチが所有するリンクレベル情報をリアルタイムに受信して、メッシュ網内の帯域管理を実行し、ＶＳＧ３０間のデータ経路ＩＤ毎に帯域予約を実行するサービスレイヤ。
【００８９】
このサービスレイヤは、ＶＰＮ帯域リソース管理サーバ６２が実行する。
【００９０】
（５）加入者端末３６が所定のＶＰＮグループに参加した際に、そのＶＰＮグループ情報を加入者端末３６に提供するサービスレイヤ。
【００９１】
このサービスレイヤは、ＶＰＮ−Ｗｅｂサーバ６０が実行する。このＶＰＮ−Ｗｅｂサーバ６０は、端末位置情報管理／認証サーバ６４が格納したＶＳＧ３０のデータや、サービス提供者の装置に関する情報に基づき、ＶＰＮグループ情報を配信する。したがって、このＶＰＮ−Ｗｅｂサーバ６０は、請求の範囲の配信手段の好適な一例に相当する。
【００９２】
次に、このメッシュ網サービスが実際に提供される際の動作を図７のシーケンス図を用いて説明する。
【００９３】
まず、ＭＳＭ１６は、「ＶＰＮサービスグループリスト広報」を実行する。これは、ＶＰＮサービスグループリストを配布する動作であり、接続している各ＶＳＧ３０に配布される。本実施の形態で提供される各種サービスは、上で述べたように利用者がＶＰＮに参加することによって提供される。そして、各サービス毎にＶＰＮが設定されており、利用者は所望のサービスを提供するＶＰＮに登録し、参加することによってサービスを利用することができる。図７におけるメッシュ網サービスの場合も同様にそのメッシュ網サービスのＶＰＮが設定されているので、利用可能なＶＰＮのグループをリストで提供するのである。このリストの送信は、セル間接続サービスを利用して実行される（図７参照）。
【００９４】
次に、ＶＳＧ３０は、配布されたリストから参加したいＶＰＮサービスを選択し、ＭＳＭ１６に通知する。この通知を受けて、ＭＳＭ１６はサービス登録を行う。この動作と並行して、ＶＳＧ３０は、参加したＶＰＮサービスをリストに追加する（図７参照）。
【００９５】
そして、ＶＳＧ３０は、この新しいサービス（メッシュ網サービス）を追加した新しいリストを加入者端末３６や、監視カメラ端末に送信するのである（図７参照）。この送信はＶＰＮリスト配布サーバ４６が実行する。
【００９６】
さて、リストの配布を受けた加入者端末３６においては、加入者がその新しいメッシュ網サービス（監視カメラのサービス）を利用したいと考え、そのメッシュ網サービスのＶＰＮグループ（図７においては、監視カメラグループと称している）にユーザー登録を行う。この登録の要求は、ＭＳＭ１６に転送され、ＭＳＭ１６において認証される。認証が成功した場合には、監視カメラグループの参加が許可（登録）され、参加するための監視カメラグループ用アドレスが加入者端末３６に配布される（図７参照）。
【００９７】
一方、監視カメラ端末においても、サービス提供者がサービスを開始するために、監視カメラグループに参加しようと考え、監視カメラグループにユーザー登録する。この登録の要求も、ＭＳＭ１６に転送され、ＭＳＭ１６において認証される。認証が成功した場合には、監視カメラグループの参加が許可（登録）され、参加するための監視カメラグループ用アドレスが監視カメラ端末に配布される（図７参照）。
【００９８】
本実施の形態では、ＶＰＮに参加すれば、そのＶＰＮにおいてサービスの提供をすることもサービスの提供を受けることも原則として自由である。サービスの種類によっては、サービスの提供に際してＷｅｂ等に登録が必要となるような構成を採用することも好ましいが、それはサービスの質に依存するものである。監視カメラのようなサービスにおいては、一般に予めＷｅｂに登録しておき、利用したい者がそのＷｅｂから所望の監視カメラのアイコンをクリックする等の操作をすることが好ましい。例えば、図２に示す監視カメラ接続サービス：ＶＰＮ１のようにＶＰＮグループ用のＷｅｂ表示にそのサービスの提供の様子、提供者の一覧等を表示しておくことが一般には好ましいが、他の形態を採用することも好ましい。
【００９９】
本実施の形態では、監視カメラグループ用アドレスが加入者端末３６に配布された場合、加入者端末３６において自動的にそのアドレスを用いてＷｅｂ情報の閲覧が行われる。この自動閲覧は、加入者端末３６においてＷｅｂクライアントが自動的に立ち上がることによって実現する。このようにアドレスが配布された場合にそのアドレスを利用してＷｅｂクライアントが起動することは従来から知られている技術であり、当業者であればそのような加入者端末３６を構成することは容易である。
【０１００】
次に、利用者は、加入者端末３６の画面（Ｗｅｂの画面）を見て、所望の監視カメラを選択する。選択した監視カメラのアイコンをクリック等することによって、Ｗｅｂから見た移管しカメラの選択を行う（図７参照）。この選択を行うと、呼制御セッションが開始される。まず、加入者端末３６から、監視カメラ端末に対して接続要求が送信される。この送信は、メッシュ網内で経路が割り当てられることによって網内を転送され、相手先である監視カメラ端末に届けられる。監視カメラ端末は、この接続要求を受信した場合、それに応じて接続応答を返す（図７参照）。これによって、加入者端末３６においては監視カメラ映像を表示するアプリケーションが自動的に起動される。所定のメッセージを受信した場合に、所定のアプリケーションが自動的に起動することは従来から知られている技術であるため、このような構成の加入者端末３６を構成することは当業者であれば容易である。
【０１０１】
次に、監視カメラ端末は、監視カメラの映像を、加入者端末３６に送信する。そして、加入者端末３６においては上記所定のアプリケーションが監視カメラの映像を表示する。このような表示のアプリケーションは従来からよく知られている。
【０１０２】
なお、このような映像も、メッシュ網内で経路が割り当てられることによって網内を通過する（図４参照）。
【０１０３】
２．４  既存サービス
本実施の形態における既存サービスとは、Ｉｎｔｅｒｎｅｔアクセスや電話などの既存のサービスを言う。これらの既存サービスも、本実施の形態におけるセルサービスと同様に、ＭＳＭ１６に参加登録することによってサービス認証後、利用することが可能になる。すなわち、インターネット接続サービスのＶＰＮが用意され、そのＶＰＮに登録し、参加することによってインターネットへの接続サービスを利用することが可能になる。
【０１０４】
本実施の形態では、この既存サービスへの接続のために、既存接続サービス部１８が備えられている。この既存接続サービス部は、図１に示すようにＶＳＧ３０が含まれている。その結果、他のセル内の加入者端末３６からは、他のセルとして見えることになる。
【０１０５】
加入者端末３６からは、この既存サービス接続部１８内のＶＳＧ３０を介して既存網への接続サービスを利用することができる。
【０１０６】
したがって、この既存サービスの提供は、メッシュ網サービスの一形態であるため、ＭＳＭ１６を介してサービスが提供される。その動作は図７で説明した動作と同様である。
【０１０７】
なお、この既存サービス接続部１８内のＶＳＧ３０は、請求の範囲の既存サービスサーバの好適な一例に相当する。
【０１０８】
第３章  ＶＳＧ
以下、本実施の形態のメッシュ網ネットワークサービスシステム１０において、特徴的な構成であるＶＳＧ３０を詳細に説明する。
【０１０９】
３．１  ＶＳＧ
ＶＳＧ（ＶＰＮサービスゲートウェイ）３０は、メッシュ網に対して、データアクセスを行う場合においてのゲートウェイとしての位置付けで本実施の形態では用いられている。
【０１１０】
メッシュ網の出入り口に、このＶＳＧ３０を配置することで、本実施の形態においては、従来の技術には存在しなかった以下の新しい３つのアーキテクチャを形成することができる。
【０１１１】
（１）異なる３つのエリアからのデータ通信アクセス制御
ＶＳＧ３０は、アクセス許可された通信に対してのみ、パケットを通過させる。この様子が図８に示されている。この図８においては、３種類のエリア間の相互の通信を制御している様子が示されている。３種類のエリアとは、図８に示すように、ＰＭＰ接続加入者局や外部網などのエリアと、メッシュ網エリアと、ＶＰＮサービスサーバエリアと、の３種類である。
【０１１２】
このうち、ＰＭＰ接続加入者局や外部網などのエリアと、メッシュ網エリアと、に対しては、ＶＳＧ３０はおよそ１Ｇｂｐｓ程度の速度の通信を行う。また、ＶＰＮサービスサーバエリアに対しては、およそ１Ｇｂｐｓ以上の速度で通信を行う。
【０１１３】
なお、ＶＳＧ３０が制御する通信は、いわゆる折り返しの通信も含まれる。特に、同一のセル間の通信（ＰＭＰ接続加入者局の場合等）は、発信者も受信者も同一エリアに存在するので、ＶＳＧ３０は、発信があったエリアからの発呼を同一のエリアに「折り返す」場合もある。
【０１１４】
（２）異なるエリア毎のサービス使用帯域制御
上で述べた３種類のエリアは、それぞれ異なる帯域（幅）でサービス運用されている。データ通信がＶＳＧ３０を経由するとき、サービス指定されたアルゴリズムにおいて帯域割り当てが実行された後、データ通信が実行される。このように、各サービス毎に帯域割り当てが実行されるので、サービス品質に応じた通信帯域を確保し、備えられている通信網の性能を効率的に利用することが可能である。
【０１１５】
従来は、場所による帯域割り当ては存在したが、サービスによる帯域の指定は行われていない。本実施の形態ではサービスによって割り当てられる帯域の制限を行っているので通信網の帯域をより有効に利用することが可能である。
【０１１６】
（３）３種類のエリアに対応したネットワーク層におけるプロトコル変換、及びサービスに適用したプロトコル変換
３種類のエリアが、それぞれ異なるネットワークプロトコルでサービス運用される場合において、ＶＳＧ３０は、対応するネットワークプロトコルに変換し相互エリア間のデータ通信を可能にしている。
【０１１７】
また、サービスに対応して、ネットワークプロトコルを変換し、相互エリア間のデータ通信を可能にしている。
【０１１８】
機能構成
次に、このＶＳＧ３０の機能構成について説明する。この機能説明の説明図が図９に示されている。このＶＳＧ３０は、所定のソフトウェア７０とこのソフトウェアを実行する所定のハードウェア８０と、から構成されている。ハードウェア８０は、プロセッサと、記憶手段、各種インターフェース手段、及びＶＳＧファームウェア（FirmWare）等から構成されている。
【０１１９】
図９に示すように、ＶＳＧ３０のソフトウェア７０は、ＶＳＧサービスアプリ７２と、ＶＳＧサービス制御７４と、ＶＳＧミドルウェア（Ｍｉｄｄｌｅ  Ｗａｒｅ）７６と、から構成されている。ここで、アプリとは、アプリケーションの意味であり、アプリケーションを短縮形にした用語である。
【０１２０】
ＶＳＧサービスアプリ７２は、ＶＰＮグループ広報／登録／認証等の動作、セル内加入者端末の管理機能、加入者局の設定、ＶＰＮ毎のＷｅｂサーバの設定・管理、基地局側無線機制御、等の動作を実行する。また、ＶＳＧサービス制御７４は、ＶＰＮサービスセッション用プロトコル処理等の動作を実行する。また、ＶＳＧミドルウェア７６は、ＶＳＧファームウェア８２のダウンロード及びボード間通信制御動作を実行する。
【０１２１】
また、図９に示すように、ＶＳＧ３０のハードウェア８０は、ＶＳＧファームウェア８２と、メッシュ網とのインターフェース手段８４と、ＰＭＰ網又は外部網とのインターフェース手段８６と、セル内サービスサーバ３２とのインターフェース手段８８と、を備えている。ここで、メッシュ網とは、セル間接続サービス網１２を表す。また、ＰＭＰ網とは、ＰＭＰ接続されている加入者局３６が構成する網である。また、外部網とは、図１における既存サービス接続部１８によって接続される既存の外部網を表す。
【０１２２】
ＶＳＧハードウェアの処理機能
次に、ＶＳＧ３０ハードウェアの処理機能の概要を説明する。
【０１２３】
（１）ＶＳＧ３０は、１Ｇｂｐｓ  Ｅｔｈｅｒｎｅｔ（登録商標）ポートを３ポート所有し、Ｆｕｌｌ−ｗｉｒｅ処理によりパケットスイッチ伝送を可能としている。ＶＳＧ３０はＰａｃｋｅｔ  Ｃｌａｓｓｉｆｉｃａｔｉｏｎ／ＶＰＮタグ挿入削除機能／ヘッダ内の指定フィールドの変更及び削除機能／セッションに応じた帯域シェイピング機能を有する。
【０１２４】
ＶＳＧとＰＭＰ用無線装置とのインターフェース仕様
以下、ＶＳＧ３０とＰＭＰ用無線装置とのインターフェース仕様を説明する。ここで、ＰＭＰ用無線装置とは、加入者局３４、特に加入者局３４の無線機を表す。
【０１２５】
無線機とのＩ／Ｆ仕様
従来の技術では、ＰＭＰ（Ｐｏｉｎｔ  ｔｏ  ＭｕｌｔｉＰｏｉｎｔ）の伝送は、固定的な伝送帯域であった。これに対して、本実施の形態（本発明）では、ＶＳＧ３０が動的に設定することによって、個々の加入者局３４間の帯域がリアルタイムに変更することが可能である。
【０１２６】
−  特に、本実施の形態では、アクセス帯域の１Ｌｉｎｋの基準値をＶＳＧ３０側で決定し、その基準値の倍数を無線装置に対して割り当てるという手法を採用している。このような手法によって、本実施の形態によれば、より簡便に伝送帯域の設定をすることができ、柔軟性の高い通信システムを実現することが可能である。
【０１２７】
図１０には、例として加入者局側無線装置＃１への設定を表す設定情報の内容を表す関連図が示されている。本実施の形態では、ＶＳＧ３０が、ダイナミックに基地局側無線装置９０に設定を行うことで帯域割り当てを変更できるようにしている。図１０に従えば、加入者局側無線装置＃１には、サービスＩＤ＝０、ＩＤ＝１、ＩＤ＝２、の３種類のサービスに関する設定がなされている。サービスＩＤ＝０は、加入者局ＰＭＰ無線装置制御通信用で固定である。このサービス（ＩＤ＝０）においては、ＶＬＡＮ−ＩＤ＝１であるＶＬＡＮが設定されており、上りのリンク数及び下りのリンク数共に「１」が設定されている。
【０１２８】
さらに、図１０に従えば、サービスＩＤ＝１においては、ＶＬＡＮ−ＩＤ＝２及び５であるＶＬＡＮが設定されている。ＶＬＡＮ（ＶＬＡＮ−ＩＤ＝２）においては、上りのリンク数として「５」が、下りのリンク数として「２」が、それぞれ設定されている。一方、ＶＬＡＮ（ＶＬＡＮ−ＩＤ＝５）においては、上りのリンク数として「１」が、下りのリンク数として「２６」が、それぞれ設定されている。この２６という数字は、例えば、１Ｌｉｎｋ単位＝３００ｋｂｐｓとした場合、７．８Ｍｂｐｓの帯域を保証していることを意味する。
【０１２９】
さらに、図１０に従えば、サービスＩＤ＝２においては、ＶＬＡＮ−ＩＤ＝５及び６であるＶＬＡＮが設定されている。ＶＬＡＮ（ＶＬＡＮ−ＩＤ＝５）においては、上りのリンク数として「３」が、下りのリンク数として「２０」が、それぞれ設定されている。一方、ＶＬＡＮ（ＶＬＡＮ−ＩＤ＝６）においては、上りのリンク数として「１」が、下りのリンク数として「２」が、それぞれ設定されている。
【０１３０】
帯域設定変更手順の概要を示せば、以下の通りである。
【０１３１】
（１）ＶＳＧ３０が基地局側無線装置９０に帯域設定情報を送る。
【０１３２】
（２）基地局側無線装置９０が制御通信チャネルを使用して加入者局３４の加入者側無線装置９２に対して、帯域設定情報を送信する。
【０１３３】
このような手順によって、ＶＳＧ３０がサービスＩＤを割り付けて各無線装置を制御するので、加入者局３４／ＶＳＧ３０間で伝送される様々なデータトラフィックについて、完全に帯域保証をすることが可能になる。なお、この帯域保証はＶＳＧ３０の内部スイッチについても同様の保証がなされる。
【０１３４】
なお、帯域設定の具体的な動作に関しては、図１２において後述する。
【０１３５】
また、図１１には、ＶＳＧ３０と、加入者局３４との間の通信の様子を示す概念図が示されている。この図に示すように、ＶＳＧ３０には、基地局側無線装置９０が設けられており、この基地局側無線装置９０を介して加入者局３４との通信が行われる。また、加入者局３４側には図１１に示すように、加入者局側無線装置９２が設けられている。この加入者局側無線装置９２は、基地局側無線装置９０と同様の装置であり、ＰＭＰ通信を実行する。また、図１１に示すように、ＶＳＧ３０と加入者局３４との間には、既に説明したように、通信制御用の固定のＶＬＡＮと、データ通信用のＶＬＡＮパスとが張られている。データ通信用ＶＬＡＮパスは、既に説明したように複数設定可能である。また、具体的な割り当ては、図１０で説明したように、ＶＬＡＮ−ＩＤを論理チャネルとして無線伝送チャネルを割り当てることによって行われる。この際、上りと下りで異なる伝送帯域割り当てが可能であることは図１０で説明した通りである。
【０１３６】
帯域設定シーケンス
図１２には、帯域設定の際の動作シーケンスを表すシーケンス図が示されている。
【０１３７】
本実施の形態においては、既に説明したように、ＶＳＧ３０が、ダイナミックに基地局側無線装置９０に設定を行うことで帯域割り当てを変更が可能である。帯域設定変更手順は、上述したように、以下の２ステップからなる。
【０１３８】
（１）ＶＳＧ３０が基地局側無線装置９０に帯域設定情報を送る。
【０１３９】
（２）次に、基地局側無線装置９０が制御通信チャネルを使用して加入者局側無線装置９２に対して、帯域設定情報を送信する。
【０１４０】
このように、ＶＳＧ３０がサービスＩＤを割り付けて各無線装置９０、９２を制御しているので、加入者局３４／ＶＳＧ３０間で伝送される様々なデータトラフィックについて、完全に帯域保証可能になり、複数の加入者局３４を接続するＰＭＰ無線帯域全体の有効利用が可能になる。この帯域保証はＶＳＧ内部スイッチについても同様である。
【０１４１】
図１２においては、基地局側無線装置９０として、基地局側ＰＭＰミリ波無線装置９０ａが示されているが、これは基地局側無線装置９０の好適な一例である。
【０１４２】
なお、図１２において、ＶＳＧ３０がサービスフローＩＤを割り付けているが、このサービスフローＩＤは、ＶＳＧ３０でのＰａｃｋｅｔ  Ｃｌａｓｓｉｆｉｃａｔｉｏｎに割り付けられた帯域管理用のＩＤである。このＩＤは、ＶＰＮサービスグループと対応している。また、この帯域は、ＶＳＧ３０と基地局ＰＭＰミリ波無線装置９０ａ間の通信の設定時に使用される。
【０１４３】
図１２に示すように、加入者端末３６が、所定のＶＰＮグループに加入する旨のメッセージが、加入者局３４−加入者局側無線装置９２−基地局側ＰＭＰミリ波無線装置９０ａ−ＶＳＧ３０のルートで伝えられる。すると、ＶＳＧ３０は、サービスＩＤ／ＶＬＡＮ情報／Ｌｉｎｋ数の設定を基地局側ＰＭＰミリ波無線装置９０ａに対して行う。次に、基地局側ＰＭＰミリ波無線装置９０ａは制御チャネルを用いて、加入者局３４の帯域を設定する。このようにして順次、各無線装置の帯域が設定され、パスが形成されるのである。
【０１４４】
以上述べたように、本実施の形態によれば、システムを構成するセル毎のサービスと、複数のセルにまたがるサービスと、を共に円滑に提供しうる仕組みを実現できる。
【０１４５】
第４章  グローバルサービス
図１３には、メッシュ網サービスの機能概要図が示されている。図１３（１）では、ＶＳＧのローカルサービスをメッシュ網のグローバルサービスとして提供する場合の説明図が示されている。同様に、図１３（２）には、端末間通信をグローバルサービスとして提供する場合の説明図が示されている。
【０１４６】
まず図１３（１）においては、広帯域無線アクセス網１１２を介して通信が行われる。広帯域無線アクセス網（Ｂｒｏａｄｂａｎｄ  Ｗｉｒｅｌｅｓｓ  Ａｃｃｅｓｓ）１１２は、複数のセルを収容しメッシュ接続するためのネットワークであり、セル間接続サービス網１２と同じものである。（以下これを、ＢＷＡメッシュ網と呼ぶ。）ＢＷＡメッシュ網１１２は、図１において既に説明したようにＭＳＭ１６が接続されている。また、ＢＷＡメッシュ網１１２には、図１３（１）が示すように複数のセルが接続しており、各セルにはそれぞれ対応するＶＳＧ３０が接続されている。そして、ＶＳＧ３０については、所定の加入者端末３６が、それぞれのセル内において接続している。
【０１４７】
次に、ＶＳＧ３０が、そのセル内において提供するローカルサービスをメッシュ網のグローバルサービスとして提供する場合、図１３（１）が示すように、サービス提供サーバ３２を介して提供することが可能である。また、サービス提供端末３６を介して提供することも可能である。
【０１４８】
まず、サービス提供サーバ３２によってグローバルサービスとしてのサービスを提供する場合、このサービス提供サーバ３２はＬ２  Ｓｗｉｔｃｈ９４に接続しており、６００Ｍｂｐｓのネットワークを介して提供される。このＬ２  Ｓｗｉｔｃｈ９４は、ＶＳＧ３０に接続している。また、サービス提供端末３６を介してサービスを提供する場合には、このサービス提供端末３６は４００Ｍｂｐｓの無線ネットワークを介してＬ２  Ｓｗｉｔｃｈ９４に接続している。
【０１４９】
このようにして本実施の形態においては、Ｌ２  Ｓｗｉｔｃｈ９４を介してＶＳＧローカルエリアシステム内のローカルサービスを、メッシュ網のグローバルサービスとして提供している。なお、ＶＳＧ３０とＢＷＡメッシュ網１１２との間は、１Ｇｂｐｓのネットワークにより接続が行われている。
【０１５０】
次に、端末間通信をグローバルサービスとして提供する場合、図１３（２）が示すように、サービス提供端末３６はＶＳＧ３０を介してＢＷＡメッシュ網１１２に接続している。また、グローバルサービスを受ける側の端末３６もＶＳＧ３０を介してＢＷＡメッシュ網１１２に接続している。このように、サービス提供側の端末３６とサービスを受ける側の端末３６は、ＶＳＧ３０及びＢＷＡメッシュ網１１２を介して送受信を行っている。
【０１５１】
ＳＩＰセッションフロー識別によるＦｉｒｅｗａｌｌ機能
ＩＰ（インターネットプロトコル）を用いた電話サービスが近年注目を集めている。ＳＩＰは、図１４のような、ＩＰ電話を実現する有力な手段のひとつとして注目されている。この図１４においては、そのようなＳＩＰセッションフローの識別によってＦｉｒｅｗａｌｌ機能を提供する例について説明する。
【０１５２】
発信元端末３６ｊは、宛先端末３６ｋに対して接続要求を送信する。この接続要求には、発信元ＭＡＣアドレスと発信元ローカルＶＬＡＮに関する情報が含まれている。この要求はＶＳＧ３０ｐとＶＳＧ３０ｑとを介して行われる。
【０１５３】
次に、宛先端末３６ｋは、接続応答を発信元端末３６ｊに対して返信する。接続応答には発信元ＭＡＣアドレスと宛先ＭＡＣアドレス、さらに発信元ローカルＶＬＡＮ及び宛先ローカルＶＬＡＮに関する情報が含まれている。
【０１５４】
なお、宛先端末３６ｋが接続応答を返す際には、ＶＳＧ３０ｑは所定のＦｌｏｗ設定を行う。同様に、ＶＳＧ３０ｐもＦｌｏｗ設定を行い、設定したＦｌｏｗに対してこれまで述べたように、Ｆｌｏｗ  ＩＤが設定されるのである。
【０１５５】
次に所定の通信が終了すると、発信元端末３６ｊは接続断要求を宛先端末３６ｋに対して送信する。ＶＳＧ３０ｐは、この接続要求をＶＳＧ３０ｑに送信するとともに、Ｆｌｏｗを解除する動作を実行する。同様に、ＶＳＧ３０ｑもこの接続断要求を宛先端末３６ｋに送信し、Ｆｌｏｗを解除する動作を実行する。
【０１５６】
ＶＳＧ提供ＧＶＰＮグループ登録についてのタイムチャートが図１５に示されている。この図１５においては、ＶＳＧのＬＶＰＮサービスをＧＶＰＮグループとして、メッシュ網全体のサービスとして提供する場合について説明する。
【０１５７】
ＶＳＧ管理用Ｗｅｂクライアント１３６がＶＳＧ管理用Ｗｅｂコンソールにアクセスすると、ＶＳＧ３０がこれを受信し、認証が成功すると、ＶＳＧ３０は認証ＯＫのメッセージをＶＳＧ管理用Ｗｅｂクライアント１３６に返信する。認証ＯＫのメッセージを受信したＶＳＧ管理用Ｗｅｂクライアント１３６は、ＧＶＰＮ用登録設定をＶＳＧ３０に対して送信する。このＧＶＰＮ用登録設定には、サービス内容、ＶＳＧサービス用ＳＩＰ  ＵＲＬ、サービス用認証コードの情報が含まれている。
【０１５８】
ＧＶＰＮ用登録設定を受信したＶＳＧ３０は、ＭＳＭ１６に対してＧＶＰＮ用登録要求を送信する。このＧＶＰＮ用登録要求を受信したＭＳＭ１６は認証を行い、認証が成功した場合には、認証ＯＫのメッセージをＶＳＧ３０に返す。また、ＭＳＭ１６はＧＶＰＮ参加用端末アドレスレンジの割り当てをこの要求に基づき行い、割り当てたアドレスレンジを内部の記憶手段に登録する。また、ＧＶＰＮ用登録要求に従い、新たなＧＶＰＮをＧＶＰＮリストへ登録する。このＧＶＰＮリストは所定の記憶手段に格納されている。この記憶手段は、請求の範囲における記録手段の一例に相当する。またこの記録手段にＧＶＰＮリストを登録する手段は、請求の範囲の登録手段の一例に相当する。具体的にこの登録手段は、所定のプログラムと、このプログラムを実行するコンピュータとから構成されることが望ましい。このＧＶＰＮリストは、各ＶＳＧ３０に対して配布される。
【０１５９】
また、ＧＶＰＮ参加用端末アドレスレンジに関する情報を含んだＧＶＰＮ用登録応答をＶＳＧ３０に返す。このＧＶＰＮ用アドレスレンジを取得したＶＳＧ３０は、ＶＳＧ管理用Ｗｅｂクライアント１３６に対してＧＶＰＮ登録応答を送信する。このようにして、新しいＧＶＰＮグループの登録が行われる。
【０１６０】
ＧＶＰＮグループに参加する場合のタイムチャートが図１６に示されている。図１６においては、ＶＳＧ３０を所有するセルサービス事業者が、他のセルサービス事業者が提供するＧＶＰＮグループに参加してサービスを受けたい場合、またＭＳＭ１６提供のメッシュ網内端末間通信用のＧＶＰＮグループに参加する場合について説明する。
【０１６１】
まず、ＶＳＧ管理用Ｗｅｂクライアント１３６がＶＳＧ３０のＶＳＧ管理用Ｗｅｂコンソールにアクセスすると、ＶＳＧ３０はこれを認証し、認証が成功した場合には、認証ＯＫのメッセージをＶＳＧ管理用Ｗｅｂクライアント１３６に返す。ＶＳＧ３０はこの認証を、ＧＶＰＮリストに基づき行う。このＧＶＰＮリストは、予めＭＳＭ１６から各ＶＳＧ３０に配布されていることは既に述べた通りである。
【０１６２】
また、ＶＳＧ３０は自分が持っているＧＶＰＮリストをクライアントに表示し、このＧＶＰＮリストを閲覧したＶＳＧ管理用Ｗｅｂクライアント１３６がＶＳＧ３０に対してＧＶＰＮグループ参加要求を送信する。このＧＶＰＮグループ参加要求を受信したＶＳＧ３０は、ＭＳＭ１６に対してＧＶＰＮグループ参加要求を転送する。
【０１６３】
ＧＶＰＮグループ参加要求を受信したＭＳＭ１６は、これに基づきＶＳＧ認証を行う。認証が成功すると、ＭＳＭ１６は、ＶＳＧ３０にＧＶＰＮグループ用認証コードを送信する。このＧＶＰＮグループ用認証コードを取得したＶＳＧ３０は、ＶＳＧ管理用Ｗｅｂクライアント１３６にＧＶＰＮグループ参加応答を送信する。ＶＳＧ管理用Ｗｅｂクライアント１３６がこれを受信しＬＶＰＮ（Ｌｏｃａｌ  ＶＰＮ）リストにサービスが追加されることによりローカルＶＬＡＮが決定し、これを受信したＶＳＧ３０において、ＶＰＮリストの更新及び配布が実行される。なお、このＶＰＮリストにはＧＶＰＮグループ認証コードが付されている。これによって、あるセル間において、ローカルで提供されているサービスを他のセルにおいても利用することができる。
【０１６４】
図１７には、ＶＳＧ３０を所有するセルサービス事業者が、他のセルサービス事業者が提供するＧＶＰＮ（Ｇｌｏｂａｌ  ＶＰＮ）グループに参加してサービスを受けたい場合の動作の例を表すタイムチャートが示されている。
【０１６５】
まず、サービスに参加する側の加入者端末３６が接続しているＶＳＧ３０ｓが、自分が持っているＬＶＰＮリストを加入者端末３６に提供し、加入者端末３６は、このＬＶＰＮリストを閲覧する。加入者端末３６はこのリストを利用者に対して表示し、利用者はこのリストの中から、参加したいＶＰＮグループを選択する。加入者端末３６は、利用者の要求に基づき、ＶＰＮグループ参加要求をＶＳＧ３０ｓに送信する。このＶＰＮグループ参加要求には認証コードが付されている。ＶＳＧ３０ｓの内部のＰｒｏｘｙサーバ４４は、このＶＰＮグループ参加要求を受信する。このＶＰＮグループの中には、上で述べたように、ＧＶＰＮを介して提供されるグローバルサービスも含まれている。
【０１６６】
次に、ＶＳＧ３０ｓは、宛先ＶＳＧ参加要求をＭＳＭ１６に送信する。ＭＳＭ１６は、宛先ＶＳＧ３０ｔまでのデータ経路用ＶＩＤを割り当て、また、帯域計算を行う。さらにこのＭＳＭ１６は、宛先ＶＳＧ３０ｔの参加応答を、ＶＳＧ３０ｓに返信する。ＶＳＧ３０ｓの内部にあるＰｒｏｘｙサーバ４４は、この宛先ＶＳＧ参加応答を受信すると、ＧＶＰＮグループ参加要求転送を、サービス提供側のＶＳＧ３０ｔに対して送信する。ＧＶＰＮグループ参加要求転送には、認証コードが付されている。
【０１６７】
サービス提供側のＶＳＧ３０ｔにおいては、このＧＶＰＮグループ参加要求転送を受信すると、この参加要求に含まれている認証コードに基づき認証を行う。認証をパスした後、サービス提供側のＶＳＧ３０ｔは、ＧＶＰＮグループ参加応答を、サービス参加側のＶＳＧ３０ｓに返信する。このＧＶＰＮグループ参加応答は、端末用ＩＰアドレス／認証チケット／サービスサーバアドレス、等の情報を含むものである。なお、サービス参加側のＶＳＧ３０ｓは、この時点で端末アプリケーションの起動指示を行うのである。ＶＳＧ３０ｓは、ＧＶＰＮグループ参加応答を受信すると、ＶＰＮグループ参加応答を、加入者端末３６に対して転送する。以上のような動作によって、ＶＰＮデータ経路が確定する。すなわち、サービスを提供するＷｅｂサーバアクセス（サービスサーバＵＲＩ取得）が実現されるのである。
【０１６８】
このようにしてＶＰＮデータ経路が確定した後、この経路に基づき、加入者端末３６はサービスサーバ（ＤＶカメラなど）２００に対して接続要求を行う。この接続要求は、一旦、ＶＳＧ３０ｓに送信される。ＶＳＧ３０ｓのＰｒｏｘｙサーバ４４は、この接続要求が受信されると、宛先ＶＳＧ接続要求をＭＳＭ１６に送信する。ＭＳＭ１６は、宛先ＶＳＧ接続要求を受信すると、データ経路用ＶＩＤの割り当て及び帯域計算を行い、その旨をＶＳＧ３０ｓに返信する。ＶＳＧ３０ｓは、データ経路用ＶＩＤの割り当て等が行われた後、接続要求をサービスサーバ２００が属するサービス提供側のＶＳＧ３０ｔに転送する。サービス提供側のＶＳＧ３０ｔは、この接続要求転送を受信すると、その接続要求をサービスサーバ２００に転送する。この転送は、サービス提供側ＶＳＧ３０ｔの内部にあるＰｒｏｘｙサーバ４４が実行する。このようにしてＶＰＮ経路データを通じたサービスサーバアクセスが実現し、サービスサーバ（ＤＶカメラなど）２００は、このＶＰＮデータ経路を介して加入者端末３６に対してサービスを提供する。
【０１６９】
サービスの提供が終了すると、加入者端末３６は接続断要求をＶＳＧ３０ｓに送信する。ＶＳＧ３０ｓ内のＰｒｏｘｙサーバ４４はこの接続断要求を受信すると、上述したのと同様に、宛先ＶＳＧ接続断要求をＭＳＭ１６に送信する。ＭＳＭ１６においては、宛先ＶＳＧ接続断要求に基づき所定の帯域計算を行い、その結果をＶＳＧ３０ｓに返信する。ＶＳＧ３０ｓ内のＰｒｏｘｙサーバ４４は、この帯域に関する計算結果を受信した後、これに基づき接続断要求をサービスサーバ２００に対して転送する。この転送された接続断要求は、一度ＶＳＧ３０ｔ内のＰｒｏｘｙサーバ４４が受信し、このＰｒｏｘｙサーバ４４が接続断要求をサービスサーバ２００に転送する。このようにしてサービスの提供が終了する。
【０１７０】
次に、加入者端末３６は、ＶＰＮグループから離脱するための要求をＶＳＧ３０ｓに送信する。ＶＳＧ３０ｓのＰｒｏｘｙサーバ４４は、このＶＰＮグループ離脱要求を受信すると、宛先ＶＳＧ離脱要求をＭＳＭ１６に対して送信する。ＭＳＭ１６においては、この要求に基づき所定の帯域計算を行い、宛先ＶＳＧ離脱応答をＶＳＧ３０ｓに返信する。ＶＳＧ３０ｓのＰｒｏｘｙサーバ４４は、この宛先ＶＳＧ離脱応答を受信すると、ＧＶＰＮグループ離脱要求をサービス提供側のＶＳＧ３０ｔに転送する。この要求においては認証コードが付されている。サービス提供側のＶＳＧ３０ｔは、ＧＶＰＮグループ離脱要求を受信すると、これに付されている認証コードに基づき認証を行い、認証が成功した場合には、ＧＶＰＮグループ離脱応答をサービス参加側のＶＳＧ３０ｓに対して返信する。サービス参加側のＶＳＧ３０ｓは、ＧＶＰＮグループ離脱応答を受信すると、ＶＰＮグループ離脱応答を加入者端末３６に対して転送する。加入者端末３６は、このＶＰＮグループ離脱応答を受信し、ＶＰＮグループからの離脱が完了したことを知ることができる。
【０１７１】
以上のようにしてＶＰＮグループへの参加、及びサービスの提供、そしてＶＰＮグループからの離脱という動作が行われる。
【０１７２】
図１８には、端末間ＧＶＰＮグループの参加及び呼制御セッションについてのタイムチャートが示されている。
【０１７３】
まず、サービスに参加する側の加入者端末３６ｘが接続しているＶＳＧ３０ｕが、自分が持っているＬＶＰＮリストを加入者端末３６ｘに提供し、加入者端末３６ｘは、このＬＶＰＮリストを閲覧する。加入者端末３６ｘはこのリストを利用者に対して表示し、利用者はこのリストの中から、参加したいＶＰＮグループを選択する。加入者端末３６ｘは、利用者の要求に基づき、ＶＰＮグループ参加要求をサービス参加側のＶＳＧ３０ｕに送信する。このＶＰＮグループ参加要求には認証コードが付されている。ＶＳＧ３０ｕ内のＰｒｏｘｙサーバ４４は、このＶＰＮグループ参加要求を受信する。
【０１７４】
ＶＳＧ３０ｕは、ＧＶＰＮグループ参加要求をＭＳＭ１６に対して送信する。このＧＶＰＮグループ参加要求には認証コードが付されている。ＭＳＭ１６は、このＧＶＰＮグループ参加要求を受信すると、参加要求に含まれている認証コードに基づき認証を行う。また、ＭＳＭ１６はロケーションサーバに端末アドレスを登録する。このロケーションサーバに端末アドレスを登録する手段は、請求の範囲の登録手段の一例に相当する。この後、ＭＳＭ１６はＧＶＰＮグループ参加応答をサービス参加側のＶＳＧ３０ｕに送信する。このＧＶＰＮグループ参加応答は、端末用ＩＰアドレス／認証チケット／ＷｅｂサーバＵＲＩ、の情報を含むものである。そして、ＧＶＰＮグループ参加応答を受信したＶＳＧ３０ｕは、ＶＰＮグループ参加応答を加入者用端末３６ｘに転送する。このＶＰＮグループ参加応答には、端末用ＩＰアドレス／認証チケット／ＷｅｂサーバＵＲＩ／ＶＬＡＮ−ＩＤが含まれている。このような動作により、端末間ＧＶＰＮグループの参加が実行される。
【０１７５】
次に、端末間の呼制御セッションについて説明する。以上のようにして端末間ＧＶＰＮグループの参加が行われた後、加入者端末３６ｘは加入者端末３６ｙに対して接続要求を行う。この接続要求は、一旦、ＶＳＧ３０ｕに送信される。この接続要求には、認証チット及び起動アプリの指示が付されている。ＶＳＧ３０ｕのＰｒｏｘｙサーバ４４は、この接続要求が受信されると、宛先ＶＳＧ接続要求をＭＳＭ１６に送信する。ＭＳＭ１６は、宛先ＶＳＧ接続要求を受信すると、宛先ＶＳＧ３０ｖまでのデータ経路用ＶＩＤを割り当て、また、帯域計算を行う。さらにＭＳＭ１６は、宛先ＶＳＧ（３０ｖ）の接続応答をサービス参加側のＶＳＧ３０ｕに返信する。ＶＳＧ３０ｕは、この宛先ＶＳＧ接続応答を受信すると、加入者端末３６ｘから送信された接続要求をサービス提供側のＶＳＧ３０ｖに転送する。この接続要求を受信したＶＳＧ３０ｖは、加入者端末３６ｙに対して接続要求を転送する。そして、接続要求を受信した加入者端末３６ｙから接続応答がサービス提供側のＶＳＧ３０ｖに送信されると、これを受信したＶＳＧ３０ｖはサービス参加側のＶＳＧ３０ｕに接続応答を転送する。この接続応答を受信したＶＳＧ３０ｕは、加入者端末３６ｘに接続応答をさらに転送する。
【０１７６】
サービスの提供が終了すると、加入者端末３６ｘは、接続断要求をサービス参加側のＶＳＧ３０ｕに送信する。ＶＳＧ３０ｕはこの接続断要求を受信すると、上述したのと同様に、宛先ＶＳＧ接続断要求をＭＳＭ１６に送信する。ＭＳＭ１６においては、宛先ＶＳＧ接続断要求に基づき所定の帯域計算を行い、その結果をＶＳＧ３０ｕに返信する。ＶＳＧ３０ｕは、この帯域に関する計算結果を受信した後、これに基づき接続断要求をサービス提供側のＶＳＧ３０ｖに対して転送する。接続断要求を受信したＶＳＧ３０ｖは、加入者端末３６ｙにこの接続断要求を転送する。そして、接続断要求を受信した加入者端末３６ｙから接続断応答がサービス提供側のＶＳＧ３０ｖに送信されると、これを受信したＶＳＧ３０ｖはサービス参加側のＶＳＧ３０ｕに接続断応答を転送する。この接続断応答を受信したＶＳＧ３０ｕは、さらに加入者端末３６ｘに対して接続断応答を転送する。
【０１７７】
このような動作により、端末間ＧＶＰＮグループの参加及び呼制御セッションが実行される。
【０１７８】
第５章  変形例
上記メッシュ網サービス管理サーバ１６は、ハードウェアで構成することも好ましいが、コンピュータに所定のプログラムを実行させることによって構成することも好ましい。この場合、そのプログラムは、コンピュータに上述した各動作を実行させるプログラムである。また、このプログラムは、これまで述べた各種情報を格納しておくためのハードディスク等に格納しておくことも好ましいし、別の記憶媒体を別途用意してもよい。
【０１７９】
また、これまで「ハードディスク等」と呼んでいたが、ハードディスク以外でも所定の情報を記憶できればどのような手段でもかまわない。フラッシュメモリ等の半導体記憶手段でもよいし、ＤＶＤ−ＲＯＭやＣＤ−ＲＯＭ等の各種の光ディスクでもよいし、各種の磁気ディスクでもよい。
【図面の簡単な説明】
【０１８０】
【図１】本実施の形態のメッシュ網ネットワークサービスシステムの説明図である。
【図２】ＶＳＧの機能構成図である。
【図３】監視カメラＶＰＮサービスが提供される場合の動作を表すシーケンス図である。
【図４】メッシュ網ネットワーク管理／運用サーバが基地局の間のネットワーク上の設定／保守／管理を実行する様子を示す説明図である。
【図５】宛先ＶＳＧ接続及び参加要求が出された場合のＭＳＭの動作及びそれに付随する動作についての説明図である。
【図６】メッシュ網サービス管理サーバが所有するサービスレイヤの様子を示す説明図である。
【図７】メッシュ網サービスが実際に提供される際の動作を示すシーケンス図である。
【図８】ＶＳＧの通信アクセス制御の概念を示す概念図である。
【図９】ＶＳＧの機能構成図である。
【図１０】加入者局側無線装置＃１への設定を表す設定情報の内容を表す関連図である。
【図１１】ＶＳＧと、加入者局との間の通信の様子を示す概念図である。
【図１２】帯域設定の際の動作シーケンスを表すシーケンス図である。
【図１３】メッシュ網サービスの機能を表す概要図である。
【図１４】ＳＩＰセッションフローの識別によってＦｉｒｅｗａｌｌ機能を提供する様子を示す説明図である。
【図１５】ＶＳＧ提供ＧＶＰＮグループに登録される際の動作を示すシーケンス図である。
【図１６】ＧＶＰＮグループに参加する際の動作を示すシーケンス図である。
【図１７】ＶＳＧが提供するＧＶＰＮグループに、加入者端末が参加する際の動作を示すシーケンス図である。
【図１８】端末間ＧＶＰＮグループに参加する際の動作、及び呼制御セッションの動作を示すシーケンス図である。
【符号の説明】
【０１８１】
１０  メッシュ網ネットワークサービスシステム
１２  セル間接続サービス網
１４  セル内サービス網
１６  メッシュ網サービス管理サーバ
１８  既存サービス接続部
２０ａ、２０ｂ、２０ｃ  基地局
２２  通信網
２４  メッシュ網ネットワーク管理／運用サーバ
３０  ＶＰＮサービスゲートウェイ（ＶＳＧ）
３２  セル内サービスサーバ
３４  加入者局
３６  加入者端末
３８  店舗
４０  ＶＰＮ−Ｗｅｂサーバ
４２  ＶＰＮ帯域リソース管理サーバ
４４  端末位置情報管理／認証サーバ／制御転送用Ｐｒｏｘｙサーバ
４６  ＶＰＮリスト配布サーバ
４８  ＶＰＮアドレス配布サーバ
５０  パケットスイッチ
６０  ＶＰＮ−Ｗｅｂサーバ
６２  ＶＰＮ帯域リソース管理サーバ
６４  端末位置情報管理／認証サーバ
６６  ＶＰＮリスト配布サーバ
６８  ＶＰＮアドレス配布サーバ
７０  ＶＳＧのソフトウェア
７２  ＶＳＧサービスアプリ
７４  ＶＳＧサービス制御
７６  ＶＳＧミドルウェア
８０  ＶＳＧのハードウェア
８２  ＶＳＧファームウェア
８４  メッシュ網とのインターフェース手段
８６  ＰＭＰ網又は外部網とのインターフェース手段
８８  セル内サービスサーバとのインターフェース手段
９０  基地局側無線装置
９０ａ  基地局側ＰＭＰミリ波無線装置
９２  加入者局側無線装置
９４  Ｌ２  Ｓｗｉｔｃｈ
１１２  広帯域無線アクセス網
１３６  ＶＳＧ管理用Ｗｅｂクライアント
【図１】
0004660682.tif 000002
【図２】
0004660682.tif 000003
【図３】
0004660682.tif 000004
【図４】
0004660682.tif 000005
【図５】
0004660682.tif 000006
【図６】
0004660682.tif 000007
【図７】
0004660682.tif 000008
【図８】
0004660682.tif 000009
【図９】
0004660682.tif 000010
【図１０】
0004660682.tif 000011
【図１１】
0004660682.tif 000012
【図１２】
0004660682.tif 000013
【図１３】
0004660682.tif 000014
【図１４】
0004660682.tif 000015
【図１５】
0004660682.tif 000016
【図１６】
0004660682.tif 000017
【図１７】
0004660682.tif 000018
【図１８】
0004660682.tif 000019